(57)【要約】【課題】表示部の面積が減ることもなく、ハーフミラーを使用せず鮮明な像を見ることができ、鏡の使用中も携帯電話の使用中も小型で、操作の簡単な鏡付き携帯電話を提供する。【解決手段】可撓性フィルム状の鏡４を表示部２に設け、ローラにより巻き取ることにより前記表示部２から退避可能にされている。前記鏡４の一端はローラに対して可撓性の透明フィルム又は糸状の物質を介して連結され、前記鏡４は、任意の位置で停止可能とし表示部２の液晶画面３を部分的に覆う。【選択図】      図１
2004247779.tif 000002
【特許請求の範囲】
【請求項１】
可撓性フィルム状の鏡を表示部に設け、ローラにより巻き取ることにより前記表示部から退避可能にしたことを特徴とする鏡付き携帯電話。
【請求項２】
前記鏡の一端は一方のローラに連結され、前記鏡の他端は他方のローラに対して可撓性の透明フィルム又は糸状の物質を介して連結されていることを特徴とする請求項１に記載の鏡付き携帯電話。
【請求項３】
可撓性フィルム状の鏡に透明フィルム又は糸状の物質を接続して無端ベルトを構成し、前記鏡を表示部に設け、前記無端ベルトをローラにより移動させて前記鏡を前記表示部から退避可能にしたことを特徴とする鏡付き携帯電話。
【請求項４】
前記鏡は、任意の位置で停止可能とし前記表示部の液晶画面を部分的に覆うことを特徴とする請求項１〜３のいずれかに記載の鏡付き携帯電話。
【請求項５】
前記鏡の退避制御は、操作ボタンにより行われることを特徴とする請求項１〜４のいずれかに記載の鏡付き携帯電話。
【請求項６】
前記鏡の停止位置を検知し、検知した位置信号により前記液晶画面の前記鏡に覆われていない領域に情報が表示されるように制御することを特徴とする請求項４に記載の鏡付き携帯電話。
【発明の詳細な説明】
【０００１】
【発明の属する技術分野】
本発明は、携帯電話に鏡の機能を付加し、適宜切り替え又は同時に使用が可能な鏡付き携帯電話に関する。
【０００２】
【従来の技術】
生活において携帯したい物の中で携帯電話は優先度が非常に高い。また鏡も使用者の容姿等を目視確認する場合に必要であり、携帯電話に準じる優先度がある。携帯電話にカメラ付き機能を備えたものがあり、使用者自身を写した画像を表示部に液晶表示することも行われるが、鏡に写した場合の像より、画像の鮮明度において劣っている。図６は、この様子を示したものである。そこで、両者を一体化させることはメリットが大きい。しかし、一枚の板状の鏡を端末（表示部又は操作部）表面に設置すると常時鏡が端末の表面面積の一部を占有してしまう。したがって、携帯電話はデザイン、ユーザインターフェース（ボタン等の配置）の面で制約が生じてしまう。
【０００３】
従来、下記特許文献１，２に記載されているように、表示部の液晶画面の表面にハーフミラーを取り付けたものが知られている。
【０００４】
また、下記特許文献３に記載されているように、ハーフミラーではなく通常の鏡を表示部上面に対して離脱可能にしたものが知られている。図７に示されているものが、同文献に記載されており、図７（ａ）は、鏡１１を表示部１２に対してスライドさせて離脱可能とし、図７（ｂ）は、鏡１１を表示部１２に対して回動して離脱させている。
【０００５】
【特許文献１】
実用新案登録第３０９０３１９号公報
【特許文献２】
特開２００２−２７１４５７号公報
【特許文献３】
特開２００２−１７６４８３号公報
【０００６】
【発明が解決しようとする課題】
しかしながら、特許文献１，２に記載されているような携帯電話は、表示部の面積が減る点は解決されたが、鏡として使用する場合は、表示のスイッチは切らねばならないし、またハーフミラーである以上十分な反射光量が得られず、明るい像を見ることはできない。表示部本来の使用に際しても、ハーフミラーを透過させて表示画面を見なければならず、表示画面が見にくくなることは避けられない。
【０００７】
また、特許文献３に記載されているような携帯電話では、鏡を使用する時は鏡を表示部に位置させ、携帯電話の使用中に表示部を見る時は鏡を表示部から離脱させている。そして、表示部の面積が減ることもなく、またハーフミラーを用いる場合の欠点はないといえる。しかし、少なくとも携帯電話の使用中に、鏡は携帯電話の筐体の上方又は側方に出っ張ることになり、周囲の者から鏡の存在を気付かれることもあり、プライバシーの点で不都合である。また鏡の離脱操作も手動によらなければならず面倒である。
【０００８】
そこで、本発明は、表示部の面積が減ることもなく、ハーフミラーを使用せず鮮明な像を見ることができ、鏡の使用中も携帯電話の使用中も小型で、操作の簡単な鏡付き携帯電話提供することを目的とする。
【０００９】
【課題を解決するための手段】
上述の課題を解決するため、本発明の鏡付き携帯電話は、可撓性フィルム状の鏡を表示部に設け、ローラにより巻き取ることにより前記表示部から退避可能にしたことを特徴とする。
【００１０】
【発明の実施の形態】
次に、本発明の実施の形態について図面を参照して説明する。
【００１１】
図１は、本発明の実施の形態における鏡付き携帯電話を示す正面図である。
【００１２】
携帯電話１は通常の携帯電話と同様に表示部２や操作ボタン６等を備えており、さらに本発明の動作を実現するために鏡４、鏡操作ボタン５がある。３は情報を表示する液晶画面である。
【００１３】
図２は、図１のＡ−Ａ断面図である。
【００１４】
携帯電話１を図２の断面図で見ると、筐体内部において表示部２の上下にローラ７，８が設置され、これらのローラはモータ等の駆動機構（不図示）により回転する。鏡４は液晶画面３の前面に平行に配置され、車のミラーフィルムのような可撓性のフィルム状の物質で光を透過せず反射率の高い物質を使用する。
【００１５】
図３は、ローラによる巻き取り機構を示す図である。
【００１６】
（ａ）に示すように鏡４の一端は、一方のローラ７に連結され、他端はポリ塩化ビニルのような透明フィルム９を介して他方のローラ８に連結される。あるいは、（ｂ）に示すように鏡４の他端は、ナイロン糸のような糸状の物質１０を介して他方のローラ８に連結される。そしてローラ７，８は回転され、鏡４を移動できるようにする。
【００１７】
実際に使用者から見ることができるのは、表示部２の鏡４又は液晶画面３である。
【００１８】
鏡操作ボタン５には、ローラ７，８の動作制御を割り当てておく。例えば、鏡操作ボタン５の“ｕｐ”ボタンを押すと、一方のローラ７が鏡４を巻き取る方向に動作、“ｄｏｗｎ”ボタンを押すと他方のローラ８が鏡４、具体的には透明フィルム９又は糸状の物質１０を巻き取る方向に動作する。
【００１９】
鏡による鮮明な画像が必要とされる時（目にごみが入った等）にキー操作により携帯電話の表示部２を鏡として使用する。
【００２０】
図４は、ローラによる巻き取りによる鏡の停止位置を示す図である。
【００２１】
鏡機能が必要な状態になった場合に、鏡操作ボタン５を操作する。使用者から見た場合に図４の右方に示すようにローラ８で巻き取ることによって鏡４が液晶画面３の前面において表示部２の上部から降りてきて、液晶画面３は隠される。このとき、鏡４は不透明であって液晶画面３の表示を消す必要はない。逆に鏡機能を使用せず通常の液晶機能を使用したい時には、図４の左方に示すようにローラ７で巻き取ることによって鏡部分４が元通りに退避収納され、液晶画面３が現れる。液晶機能を使用する時は、図３（ａ）の場合は、液晶画面３の前面に透明フィルム９が介在するが、表示が妨げられることはほとんど無いといえるし、また（ｂ）の場合は、糸状の物質１０が、液晶画面３の枠外であって表示が妨げられることは無い。
【００２２】
鏡４が表示部２の液晶画面３の領域を全部覆って鏡機能に完全に切り替えてもよいし、一部覆うこともできる。一部覆った場合は、残った液晶画面３を通常時と同様に使用する。
【００２３】
次に、鏡４の停止位置を検知し、検知した位置信号により液晶画面３の鏡４に覆われていない領域に情報が表示されるように制御することもできる。すなわち、ローラ７，８の回転数をカウントし、それに応じて表示部２の領域がどの程度鏡機能で使用されているかを判定し、使用者に見えている液晶画面４の表示を制御する。
【００２４】
図５は、液晶画面の鏡に覆われていない領域に情報が表示される状態を示す図である。
【００２５】
例１のように液晶画面３に表示される文字や画像の大きさを小さくして制御する方法。あるいは例２のように表示される文字や画像を下方向にずらして制御する方法等が考えられる。
【００２６】
このように、携帯電話の表示部をボタン操作によって鏡として使用でき、鏡としての機能が不要となった時点でボタン操作によって鏡を退避収納して、通常の液晶表示として使用できる。いずれの使用状態においても、鏡が筐体から出っ張るようなことはなく、携帯電話に鏡機能が備えられているということを周囲の者が容易に気付くことはない。そして、携帯電話に付属のカメラで自分を写した画像を液晶画面に表示するよりも鮮明な画像が得られる。
【００２７】
以上本発明の実施の形態について説明したが、以下他の実施の形態について説明する。鏡操作ボタン５は、図１にあるように２つのボタン型である必要は無く、１つのボタンで上下の部分を操作するようにしてもよい。また、感圧式にして強く押せば鏡が素早く動作し、弱く押すとゆっくり動くようにアナログ的にローラの回転速度を変える制御にしてもよい。あるいは通常の操作ボタン４に割り付けてもよい。
【００２８】
鏡４と透明フィルム９又は糸状の物質１０は、全体を無端ベルトにしてローラ７，８に掛け渡し、無端ベルトを一方向に移動させて、鏡４を表示部２から退避させるようにしてもよい。
【００２９】
さらに、本発明を折り畳み型の携帯電話に対して実施した例を説明したが、表示部を備えていれば非折り畳み型に対しても本発明を実施することは可能である。
【００３０】
【発明の効果】
以上説明したように、本発明の鏡付き携帯電話は、表示部に鏡が不必要な時には鏡を退避させることができ、表示部の面積が減ることもなく、ハーフミラーを使用せず鮮明な像を見ることができ、鏡の使用中も携帯電話の使用中も小型で、操作の簡単なものである。また、表示部を鏡として使用しながら、液晶画面の表示を制御して鏡機能を使用していない環境に近い表示が可能である。
【図面の簡単な説明】
【図１】本発明の実施の形態における鏡付き携帯電話の正面図
【図２】図１のＡ−Ａ断面図
【図３】ローラによる巻き取り機構を示す図
【図４】ローラによる巻き取りによる鏡の停止位置を示す図
【図５】液晶画面の鏡に覆われていない領域に情報が表示される状態を示す図
【図６】液晶表示の場合と鏡を使用した場合の像の比較を示す図
【図７】従来の鏡付き携帯電話の一例を示す図
【符号の説明】
１  携帯電話
２  表示部
３  液晶画面
４  鏡
５  鏡操作ボタン
６  操作ボタン
７，８  ローラ
９  透明フィルム
１０  糸状の物質
【図１】
2004247779.tif 000003
【図２】
2004247779.tif 000004
【図３】
2004247779.tif 000005
【図４】
2004247779.tif 000006
【図５】
2004247779.tif 000007
【図６】
2004247779.tif 000008
【図７】
2004247779.tif 000009